(57)【要約】【課題】忘れ物の通知を適切なタイミングを行うことができる画像形成システムを提供する。【解決手段】携帯端末１は、画像形成指示の送信後にアクセスポイント４ａ、４ｂからの電波強度を監視し、電波強度が下限値を下回ると離間通知を画像形成装置２に送信する電波強度監視部１４２と、画像形成装置２からの忘れ物通知の受信によって忘れ物の存在を報知する通知受信部１４３と、を具備し、画像形成装置２は、予め設定されたチェック場所の用紙を検出する用紙検出部として機能する原稿検出部２２１、原稿検出部２３１及び記録紙検出部２６１と、携帯端末１から離間通知を受信すると、用紙検出部によってチェック場所で用紙の有無を検出させ、チェック場所で用紙が検出されると忘れ物通知を携帯端末１に送信する忘れ物検出部２８２を備える。【選択図】図１
2019102915.tif 000002
【特許請求の範囲】
【請求項１】
画像形成機能を備えた画像形成装置と、ＷｉＦｉ接続のアクセスポイントを介して前記画像形成装置を遠隔操作する携帯端末とからなる画像形成システムであって、
前記携帯端末は、
画像形成指示の送信後に前記アクセスポイントからの電波強度を監視し、電波強度が下限値を下回ると離間通知を前記画像形成装置に送信する電波強度監視部と、
前記画像形成装置からの忘れ物通知の受信によって忘れ物の存在を報知する通知受信部と、を具備し、
前記画像形成装置は、
予め設定されたチェック場所の用紙を検出する用紙検出部と、
前記携帯端末から前記離間通知を受信すると、前記用紙検出部によって前記チェック場所で用紙の有無を検出させ、前記チェック場所で用紙が検出されると前記忘れ物通知を前記携帯端末に送信する忘れ物検出部と、を具備することを特徴とする画像形成システム。
【請求項２】
前記画像形成装置は、前記携帯端末から画像形成指示を受信すると、監視対象の前記アクセスポイントを前記携帯端末に通知し、
前記携帯端末の前記電波強度監視部は、前記画像形成装置から通知された監視対象の前記アクセスポイントからの電波強度を監視することを特徴とする請求項１記載の画像形成システム。
【請求項３】
前記画像形成装置は、監視対象の前記アクセスポイントが複数である場合、前記携帯端末から画像形成指示を受信すると、前記アクセスポイント毎の前記下限値を前記携帯端末に通知し、
前記携帯端末の前記電波強度監視部は、全ての前記アクセスポイントからの電波強度が前記アクセスポイント毎の前記下限値をそれぞれ下回ると前記離間通知を前記画像形成装置に送信することを特徴とする請求項２記載の画像形成システム。
【請求項４】
前記画像形成装置の前記忘れ物検出部は、忘れ物が検出された前記チェック場所を前記忘れ物通知として前記携帯端末に送信し、
前記携帯端末の前記通知受信部は、前記画像形成装置からの前記忘れ物通知の受信によって忘れ物が検出された前記チェック場所を報知することを特徴とする請求項１乃至３のいずれかに記載の画像形成システム。
【請求項５】
前記画像形成装置の忘れ物検出部は、忘れ物が検出されると前記忘れ物通知を前記携帯端末とは異なる管理者端末にも送信することを特徴とする請求項１乃至４のいずれかに記載の画像形成システム。
【請求項６】
前記画像形成装置の前記忘れ物検出部は、前記携帯端末から前記離間通知を受信すると、前記画像形成指示による画像形成の実行後、他のユーザーによって前記チェック場所が使用されたか否かを判断し、使用されていない前記チェック場所で忘れ物の有無を検出することを特徴とする請求項１乃至５のいずれかに記載の画像形成システム。
【発明の詳細な説明】
【技術分野】
【０００１】
本発明は、複写機、複合機（ＭＦＰ；Multifunction Peripheral）等の画像形成装置と、当該画像形成装置を無線操作する携帯端末とからなる画像形成システムに関する。
【背景技術】
【０００２】
画像形成装置に原稿や印刷済みの記録紙等の用紙が所定時間放置されると、用紙忘れを端末装置に通知する技術が提案されている（例えば、特許文献１参照）。
【先行技術文献】
【特許文献】
【０００３】
【特許文献１】特開２０１５−１９２０号公報
【発明の概要】
【発明が解決しようとする課題】
【０００４】
しかしながら、放置時間によって用紙忘れを携帯端末に通知した場合、ユーザーが用紙の存在を認識していても用紙忘れが通知されてしまい、ユーザーに煩わしさを覚えさせてしまうことがあるという問題点があった。
例えば、コンビニエンスストア等の店舗に設置された画像形成装置に対して携帯端末から印刷の実行を指示した場合、ユーザーは、印刷の実行中に店舗で買い物を行うことがある。このような場合、ユーザーが店舗内で買い物中にも拘わらず、用紙忘れが通知されると、ユーザーに煩わしい思いをさせてしまうことになる。
【０００５】
本発明は、上記問題点を鑑みてなされたものであり、その目的とするところは、忘れ物の通知を適切なタイミングを行うことができる画像形成システムを提供することを目的とする。
【課題を解決するための手段】
【０００６】
本発明の画像形成システムは、画像形成機能を備えた画像形成装置と、ＷｉＦｉ接続のアクセスポイントを介して前記画像形成装置を遠隔操作する携帯端末とからなる画像形成システムであって、前記携帯端末は、画像形成指示の送信後に前記アクセスポイントからの電波強度を監視し、電波強度が下限値を下回ると離間通知を前記画像形成装置に送信する電波強度監視部と、前記画像形成装置からの忘れ物通知の受信によって忘れ物の存在を報知する通知受信部と、を具備し、前記画像形成装置は、予め設定されたチェック場所の用紙を検出する用紙検出部と、前記携帯端末から前記離間通知を受信すると、前記用紙検出部によって前記チェック場所で用紙の有無を検出させ、前記チェック場所で用紙が検出されると前記忘れ物通知を前記携帯端末に送信する忘れ物検出部と、を具備することを特徴とする。
【発明の効果】
【０００７】
本発明によれば、画像形成装置とアクセスポイントとの位置関係と電波強度の下限値を設定しておくことで、携帯端末が画像形成装置から離れたタイミングで忘れ物の検出及び通知を行うことができるため、忘れ物の通知を、ユーザーに煩わしい思いをさせることがない適切なタイミングを行うことができるという効果を奏する。
【図面の簡単な説明】
【０００８】
【図１】本発明に係る印刷システムの実施の形態の概略構成を示すブロック図である。
【図２】図１に示画像形成装置の装置記憶部に記憶されているＡＰ情報例を示す図である。
【図３】図１に示す携帯端末の動作を説明するフローチャートである。
【図４】図１に示す画像形成装置の動作を説明するフローチャートである。
【発明を実施するための形態】
【０００９】
以下、図を参照して本発明の実施の形態を詳細に説明する。
本実施の形態の画像形成システムは、図１を参照すると、携帯端末１と、画像形成装置２とを備えている。携帯端末１は、携帯電話、スマートフォン、タブレット端末、ＰＤＡ（Personal Digital Assistant）等のタブルデバイスである。画像形成装置２は、プリンター、複写機、ＭＦＰ等の画像形成機能を有する装置である。
【００１０】
携帯端末１は、端末操作部１１と、端末記憶部１２と、端末通信部１３と、端末制御部１４とを備えている。
【００１１】
端末操作部１１は、各種情報を表示する表示部と、各種情報や各種指示を入力する入力部を備えたユーザーインターフェースである。端末操作部１１は、例えば、表示パネルの表面に透明の感圧センサーが設けられたタッチパネルで構成する。
【００１２】
端末記憶部１２は、半導体メモリやＨＤＤ（Hard Disk Drive）等の記憶手段であり、ユーザーによって蓄積された各種ドキュメントが記憶されていると共に、遠隔操作ＡＰＰ１２１が記憶されている。遠隔操作ＡＰＰ１２１は、画像形成装置２を遠隔操作するためのアプリケーションプログラムであり、携帯端末１にインストールされている。ユーザーは、端末通信部１３を介してインターネットなどから遠隔操作ＡＰＰ１２１をダウンロードして、携帯端末１にインストールする。
【００１３】
端末通信部１３は、モバイルキャリア等の移動体通信網を介して各種データを送受信する機能を有すると共に、ＷｉＦｉ（Wireless Fidelity）通信によって、ＬＡＮ（Local Area Network）等のネットワーク３に接続されたＡＰ（アクセスポイント）４ａ、４ｂを経由して画像形成装置２との間で各種情報を送受信する機能を有している。ＡＰ４ａ、４ｂは、例えば、ＷｉＦｉルーターであり、端末通信部１３とＷｉＦｉ接続される無線ＬＡＮインタフェースと、ネットワーク３に接続される有線ＬＡＮインタフェースとを備えている。
【００１４】
端末制御部１４は、端末操作部１１、端末記憶部１２及び端末通信部１３にそれぞれ接続され、端末操作部１１から入力された所定の指示情報に応じて携帯端末１全体の動作制御を実行する。端末制御部１４は、ＣＰＵ（Central Processing Unit）、ＲＯＭ（Read Only Memory）、ＲＡＭ（Random Access Memory）等を備えたマイクロコンピュータ等の情報処理部である。ＲＯＭには携帯端末１の動作制御を行うための制御プログラムが記憶されている。端末制御部１４は、ＲＯＭに記憶されている制御プログラムを読み出し、制御プログラムをＲＡＭに展開させることで、端末操作部１１から入力された所定の指示情報に応じて端末全体の制御を行う。
【００１５】
また、端末操作部１１を介して遠隔操作ＡＰＰ１２１の起動操作が行われると、端末制御部１４は、端末記憶部１２に記憶された遠隔操作ＡＰＰ１２１を読み出して、ＲＡＭに展開させて、遠隔操作ＡＰＰ１２１を起動させる。これにより、端末制御部１４は、遠隔操作処理部１４１、電波強度監視部１４２、通知受信部１４３として機能する。
【００１６】
遠隔操作処理部１４１は、画像形成装置２を操作する操作画面を端末操作部１１に表示し、画像形成を行うドキュメントの指定や、画像形成指示として印刷指示を受け付け、端末通信部１３経由で画像形成装置２を操作する。
【００１７】
電波強度監視部１４２は、遠隔操作ＡＰＰ１２１によって印刷指示を行った画像形成装置２から、電波強度を監視するアクセスポイント（本実施の形態では、ＡＰ４ａ、４ｂ）とその下限値とからなる監視対象ＡＰ情報２４１を受信する。そして、電波強度監視部１４２は、監視対象ＡＰ情報２４１に基づいて、監視対象のアクセスポイントの電波強度を監視し、電波強度が下限値を下回ると（監視対象のアクセスポイントが複数の場合、全てのアクセスポイント電波強度が下限値を下回ると）、画像形成装置２から遠ざかったことを通知する離間通知を画像形成装置２に送信する。
【００１８】
通知受信部１４３は、移動体通信網もしくはＡＰ４ａ、４ｂ経由で画像形成装置２から忘れ物通知を受信する機能を有する。
【００１９】
画像形成装置２は、装置操作部２１と、原稿給送部２２と、原稿読取部２３と、装置記憶部２４と、画像処理部２５と、印刷部２６と、装置通信部２７と、装置制御部２８とを備えている。
【００２０】
装置操作部２１は、各種情報を表示する表示部と、各種情報や各種指示を入力する入力部を備えたユーザーインターフェースである。装置操作部２１は、例えば、表示パネルの表面に透明の感圧センサーが設けられたタッチパネルで構成する。
【００２１】
原稿給送部２２は、原稿載置板に載置された原稿を１枚ずつ原稿読取部２３に給紙する原稿送り装置である。また、原稿給送部２２は、原稿載置板に載置された原稿の有無を検出する原稿検出部２２１を備えている。
【００２２】
原稿読取部２３は、原稿給送部２２により給紙されてきた原稿や、ユーザーによってプラテンガラスに載置された原稿に対して光を照射し、その反射光等を受光して原稿画像を読み取るスキャナーである。また、原稿読取部２３は、プラテンガラスに載置された原稿の有無を検出する原稿検出部２３１を備えている。
【００２３】
装置記憶部２４は、半導体メモリやＨＤＤ等の記憶手段であり、原稿読取部２３によって読み取られた画像データや、装置通信部２７によって受信された画像データなどが蓄積される。また、装置記憶部２４には、図２に示すように、電波強度を監視するアクセスポイントと、アクセスポイント毎の下限値とが監視対象ＡＰ情報２４１として記憶されている。図２に示す監視対象ＡＰ情報２４１の例では、アクセスポイントとして、ＡＰ４ａと、ＡＰ４ｂとが設定されていると共に、ＡＰ４ａの下限値が−８０ｄＢｍに、ＡＰ４ｂの下限値が−９５ｄＢｍにそれぞれ設定されている。
【００２４】
画像処理部２５は、画像データに対して所定の画像処理を行う手段である。画像処理部２５では、例えば、拡大縮小処理や、濃度調整、階調調整等の画像改善処理が行われる。
【００２５】
印刷部２６は、装置記憶部２４に記憶された画像データを画像形成して印刷する画像形成手段である。印刷部２６は、例えば、装置記憶部２４から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排出トレイに排出する。また、印刷部２６は、排出トレイに排出された記録紙の有無を検出する記録紙検出部２６１を備えている。
【００２６】
装置通信部２７は、ネットワーク３に接続される有線ＬＡＮインタフェースを備え、携帯端末１との間で各種情報を送受信する機能を有している。
【００２７】
装置制御部２８は、装置操作部２１、原稿給送部２２、原稿読取部２３、装置記憶部２４、画像処理部２５と、印刷部２６及び装置通信部２７にそれぞれ接続されている。装置制御部２８は、ＣＰＵ（Central Processing Unit）、ＲＯＭ（Read Only Memory）、ＲＡＭ（Random Access Memory）等を備えたマイクロコンピュータ等の情報処理部である。ＲＯＭには画像形成装置２の動作制御を行うための制御プログラムが記憶されている。装置制御部２８、ＲＯＭに記憶されている制御プログラムを読み出し、制御プログラムをＲＡＭに展開させることで、装置全体の制御を行う。また、装置制御部２８は、遠隔操作受付部２８１、忘れ物検出部２８２として機能する。
【００２８】
遠隔操作受付部２８１は、携帯端末１からの遠隔操作を受け付け、受け付けた遠隔操作に基づく処理動作を実行する。また、遠隔操作受付部２８１は、携帯端末１からの遠隔操作による画像形成指示として印刷指示を受け付けると、監視対象ＡＰ情報２４１を携帯端末１に送信すると共に、画像形成して印刷を実行する。
【００２９】
忘れ物検出部２８２は、離間通知を携帯端末１から受信すると、忘れ物の検出を行う。そして、忘れ物が検出された場合には忘れ物通知を、忘れ物が検出されなかった場合には終了通知をそれぞれ携帯端末１に送信する。
【００３０】
また、装置制御部２８には、ＵＳＢ等のＩ／Ｆ（インタフェース）２９を介してコインベンダー６が接続されている。コインベンダー６は、入金、返金を受け付けたり、レシートを発行したりする機能を備えている。装置制御部２８は、印刷枚数、サイズ、色モード等に応じて、ユーザーに課金される料金を算出してコインベンダー６から徴収する。
【００３１】
次に、携帯端末１からの遠隔操作で画像形成装置２に画像形成を実行させる場合の、携帯端末１の動作について図３を参照すると共に、画像形成装置２の動作について図４を参照して詳細に説明する。
【００３２】
図３を参照すると、携帯端末１からの遠隔操作で画像形成装置２に画像形成を実行させる場合、携帯端末１で遠隔操作ＡＰＰ１２１を起動させる（ステップＳ１０１）。遠隔操作ＡＰＰ１２１の起動によって、端末制御部１４は遠隔操作処理部１４１として機能し、ユーザーから受け付けた印刷設定を画像形成装置２に送信すると共に（ステップＳ１０２）、ユーザーから画像形成指示として受け付けた印刷指示を画像形成装置２に送信する（ステップＳ１０３）。
【００３３】
図４を参照すると、画像形成装置２において、携帯端末１から印刷設定が受信されると、装置制御部２８は遠隔操作受付部２８１として機能し、携帯端末１からの印刷設定を受け付けると共に（ステップＳ２０１）、携帯端末１からの印刷指示を受け付ける（ステップＳ２０２）。そして、遠隔操作受付部２８１は、監視対象ＡＰ情報２４１を携帯端末１に送信すると共に（ステップＳ２０３）、画像形成して印刷を実行する（ステップＳ２０４）。
【００３４】
図３を参照すると、携帯端末１において、画像形成装置２から監視対象ＡＰ情報２４１が受信されると（ステップＳ１０４）、端末制御部１４は電波強度監視部１４１として機能し、受信した監視対象ＡＰ情報２４１に設定された監視対象のアクセスポイントの電波強度を監視する（ステップＳ１０５）。
【００３５】
次に、電波強度監視部１４１は、監視対象ＡＰ情報２４１に設定された全てのアクセスポイント電波強度が下限値未満か否かを判断し（ステップＳ１０６）、全てのアクセスポイント電波強度が下限値未満になると、携帯端末１が、画像形成装置２から遠ざかったことを通知する離間通知を画像形成装置２に送信する（ステップＳ１０７）。なお、離間通知の送信後、端末制御部１４は通知受信部１４３として機能し、離間通知に対する画像形成装置２からのレスポンスとして、忘れ物通知の受信を待機すると共に（ステップＳ１０８）、完了通知の受信を待機する（ステップＳ１０９）。
【００３６】
図４を参照すると、画像形成装置２において、携帯端末１から離間通知が受信されると（ステップＳ２０５）、装置制御部２８は忘れ物検出部２８２として機能する。
【００３７】
忘れ物検出部２８２は、ステップＳ２０４で実行した印刷が完了した後に、他のユーザーからの処理指示を受け付けたか否かを判断する（ステップＳ２０６）。
【００３８】
ステップＳ２０６で他のユーザーからの処理指示を受け付けていない場合、忘れ物検出部２８２は、全てのチェック場所での忘れ物を検出し（ステップＳ２０７）、忘れ物の有無を判断する（ステップＳ２０８）。本実施の形態では、チェック場所として、原稿給送部２２の原稿載置板と、原稿読取部２３のプラテンガラスと、印刷部２６の排出トレイと、コインベンダー６とが設定されている。そして、忘れ物検出部２８２は、原稿検出部２２１によって原稿給送部２２の原稿載置板に原稿が忘れ物として載置されているか否かを検出し、原稿検出部２３１によって原稿読取部２３のプラテンガラスに原稿が忘れ物として載置されているか否かを検出し、記録紙検出部２６１によって印刷部２６の排出トレイに記録紙が忘れ物として載置されているか否かを検出し、コインベンダー６に問い合わせることで残金が忘れ物として残っているか否かを検出する。
【００３９】
ステップＳ２０８でチェック場所に忘れ物が検出された場合、忘れ物検出部２８２は、忘れ物の検出と、検出したチェック場所とを通知する忘れ物通知を携帯端末１に送信し（ステップＳ２０９）、動作を終了させる。なお、忘れ物通知は、携帯端末１とは異なる管理者端末５にも送信するようにしても良い。この場合、管理者が忘れ物を回収して保管することができる。
【００４０】
ステップＳ２０８でチェック場所に忘れ物が検出された場合、忘れ物検出部２８２は、忘れ物が検出されなかったことを通知する完了通知を携帯端末１に送信し（ステップＳ２１０）、動作を終了する。
【００４１】
ステップＳ２０６で他のユーザーからの処理指示を受け付けた場合、忘れ物検出部２８２は、他のユーザーからの処理指示の実行に使用されていないチェック場所があるか否かを判断する（ステップＳ２１１）。例えば、データの印刷等の原稿を用いない処理では、原稿給送部２２の原稿載置板や、原稿読取部２３のプラテンガラスが使用されていないチェック場所となる。また、ＦＡＸ送信等の記録紙の排出を伴わない処理では、印刷部２６の排出トレイが使用されていないチェック場所となる。さらに、電子マネーの使用等のコインベンダー６を使用しない処理では、コインベンダー６が使用されていないチェック場所となる。
【００４２】
ステップＳ２１１で使用されていないチェック場所がある場合、忘れ物検出部２８２は、使用されていないチェック場所での忘れ物を検出し（ステップＳ２１２）、ステップＳ２０８に至って忘れ物の有無を判断する。
【００４３】
ステップＳ２１１で使用されていないチェック場所がない場合、忘れ物検出部２８２は、ステップ２１０に至って完了通知を携帯端末１に送信し、動作を終了する。
【００４４】
図３を参照すると、離間通知に対する画像形成装置２からのレスポンスとして、ステップＳ１０８で忘れ物通知が受信されると、通知受信部１４３は、忘れ物の存在を端末操作部１１への表示や音声出力によってユーザーに報知すると共に、忘れ物が存在するチェック場所も端末操作部１１への表示によってユーザーに報知する（ステップＳ１１０）。そして、通知受信部１４３は、ユーザーが忘れ物の存在を確認する確認操作を端末操作部１１によって受け付けると（ステップＳ１１１）、遠隔操作ＡＰＰ１２１を終了させ（ステップＳ１１２）、動作を終了する。
【００４５】
離間通知に対する画像形成装置２からのレスポンスとして、ステップＳ１０９で完了通知が受信されると、通知受信部１４３は、ステップＳ１１２に至って遠隔操作ＡＰＰ１２１を終了させ、動作を終了する。
【００４６】
なお、本実施の形態では、遠隔操作ＡＰＰ１２１の起動に伴って機能する通知受信部１４３によって画像形成装置２から通知を受信するように構成したが、画像形成装置２からの通知を携帯端末１によって受信可能なメールアドレス等の連絡先に送信するようにしても良い。この場合、遠隔操作ＡＰＰ１２１による遠隔操作の接続時にユーザー情報として予め登録されている連絡先と接続している遠隔操作ＡＰＰ１２１とを紐づけると良い。
【００４７】
以上説明したように、本実施の形態は、画像形成機能を備えた画像形成装置２と、ＷｉＦｉ接続のアクセスポイント４ａ、４ｂを介して画像形成装置２を遠隔操作する携帯端末１とからなる画像形成システムであって、携帯端末１は、画像形成指示の送信後にアクセスポイント４ａ、４ｂからの電波強度を監視し、電波強度が下限値を下回ると離間通知を画像形成装置２に送信する電波強度監視部１４２と、画像形成装置２からの忘れ物通知の受信によって忘れ物の存在を報知する通知受信部１４３と、を具備し、画像形成装置２は、予め設定されたチェック場所（原稿給送部２２の原稿載置板、原稿読取部２３のプラテンガラス、印刷部２６の排出トレイ）の用紙（原稿、記録紙）を検出する用紙検出部として機能する原稿検出部２２１、原稿検出部２３１及び記録紙検出部２６１と、携帯端末１から離間通知を受信すると、用紙検出部によってチェック場所で用紙の有無を検出させ、チェック場所で用紙が検出されると忘れ物通知を携帯端末１に送信する忘れ物検出部２８２を備える。
この構成により、画像形成装置２とアクセスポイント４ａ、４ｂとの位置関係と電波強度の下限値を設定しておくことで、携帯端末１が画像形成装置２から離れたタイミングで忘れ物の検出及び通知を行うことができるため、忘れ物の通知を、ユーザーに煩わしい思いをさせることがない適切なタイミングを行うことができる。
【００４８】
さらに、本実施の形態において、画像形成装置２は、携帯端末１から画像形成指示を受信すると、監視対象のアクセスポイント４ａ、４ｂを携帯端末１に通知し、携帯端末１の電波強度監視部１４２は、画像形成装置２から通知された監視対象のアクセスポイント４ａ、４ｂからの電波強度を監視する。
この構成により、電波強度を監視するアクセスポイント４ａ、４ｂを画像形成装置２から設定することができる。
【００４９】
さらに、本実施の形態において、画像形成装置２は、監視対象のアクセスポイント４ａ、４ｂが複数である場合、携帯端末１から画像形成指示を受信すると、アクセスポイント４ａ、４ｂ毎の下限値を携帯端末１に通知し、携帯端末１の電波強度監視部１４２は、全てのアクセスポイント４ａ、４ｂからの電波強度がアクセスポイント４ａ、４ｂ毎の下限値をそれぞれ下回ると離間通知を画像形成装置２に送信する。
この構成により、忘れ物を検出して通知するタイミングを画像形成装置２及びアクセスポイント４ａ、４ｂの設置状況を応じて簡単に設定することができる。
【００５０】
さらに、本実施の形態において、画像形成装置２の忘れ物検出部２８２は、忘れ物が検出されたチェック場所を忘れ物通知として携帯端末１に送信し、携帯端末１の通知受信部１４３は、画像形成装置２からの忘れ物通知の受信によって忘れ物が検出されたチェック場所を報知する。
この構成により、忘れ物の場所を簡単に把握することができる。
【００５１】
さらに、本実施の形態において、画像形成装置２の忘れ物検出部２８２は、忘れ物が検出されると忘れ物通知を携帯端末１とは異なる管理者端末にも送信する。
この構成により、管理者が忘れ物を回収して保管することができる。これにより、画像形成装置２を次のユーザーに素早く明け渡すことができる。
【００５２】
さらに、本実施の形態において、画像形成装置２の忘れ物検出部２８２は、携帯端末１から離間通知を受信すると、画像形成指示による画像形成の実行後、他のユーザーによってチェック場所が使用されたか否かを判断し、使用されていないチェック場所で忘れ物の有無を検出する。
この構成により、画像形成装置２において次のユーザーの使用を受け付けても、忘れ物を検出することができる。
【００５３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５４】
１  携帯端末
２  画像形成装置
３  ネットワーク
４ａ、４ｂ  ＡＰ（アクセスポイント）
５  管理者端末
６  コインベンダー
１１  端末操作部
１２  端末記憶部
１３  端末通信部
１４  端末制御部
２１  装置操作部
２２  原稿給送部
２３  原稿読取部
２４  装置記憶部
２５  画像処理部
２６  印刷部
２７  装置通信部
２８  装置制御部
２９  Ｉ／Ｆ（インタフェース）
１２１  遠隔操作ＡＰＰ
１４１  遠隔操作処理部
１４２  電波強度監視部
１４３  通知受信部
２２１  原稿検出部
２３１  原稿検出部
２４１  監視対象ＡＰ情報
２６１  記録紙検出部
２８１  遠隔操作受付部
２８２  忘れ物検出部
【図１】
2019102915.tif 000003
【図２】
2019102915.tif 000004
【図３】
2019102915.tif 000005
【図４】
2019102915.tif 000006